(57)【要約】【課題】  中周のエリアにもスペア領域を配置する光ディスクを得る。【解決手段】  多層ディスクのユーザデータ領域の最内周、最外周の内周スペア領域と外周スペア領域に加えて、ユーザデータ領域の中周にも中周スペア領域を配置し、欠陥セクタの交替処理を実施する場合には、欠陥セクタにより近い配置の任意記録層や任意記録位置のスペア領域を選択できるので、交替処理時のアクセス性能を向上することが出来る。【選択図】図１
2010182378.tif 000002
【特許請求の範囲】
【請求項１】
複数の記録層を有する光ディスクであって、
ユーザデータを記録するためのユーザデータ領域と、ユーザデータ領域の欠陥データの代替として記録再生を実施するスペア領域を有し、前記スペア領域は光ディスク上の各記録層におけるユーザデータ領域の最内周側に配置する内周スペア領域と、最外周側に配置する外周スペア領域と、ユーザデータ領域の中周位置に配置する中周スペア領域とを有することを特徴とする多層光ディスク。
【請求項２】
請求項1記載の中周スペア領域は、前記光ディスク上の予め定められた場所と予め定められたサイズを有しており、
前記中周スペア領域を使用するか否かを示す情報を格納することができる欠陥管理領域を有することを特徴とする多層光ディスク。
【請求項３】
請求項1記載の多層光ディスクは、前記中周スペア領域の開始アドレスと、領域のサイズを格納することができる欠陥管理領域を有することを特徴とする多層光ディスク。
【請求項４】
請求項1記載の多層光ディスクは、前記中周スペア領域の各層毎の使用禁止か否かの情報を格納することができる欠陥管理領域を有することを特徴とする多層光ディスク。
【請求項５】
請求項1記載の多層光ディスクは、前記中周スペア領域を使用する場合には、各層のユーザデータ領域は記録再生方向に沿って前記中周スペア領域までの区間に配置される第1のユーザデータ領域と、前記中周スペア領域からの区間に配置される第2のユーザデータ領域とを有することを特徴とする多層光ディスク。
【請求項６】
複数の記録層を有する光ディスクであって、
ユーザデータを記録するためのユーザデータ領域と、ユーザデータ領域の欠陥データの代替として記録再生を実施するスペア領域を有し、前記スペア領域は光ディスク上の各記録層におけるユーザデータ領域の最内周側に配置する内周スペア領域と、最外周側に配置する外周スペア領域と、ユーザデータ領域をn（n：自然数）分割する位置に（n-1）箇所配置する中周スペア領域とを有することを特徴とする多層光ディスク。
【請求項７】
請求項6記載の中周スペア領域は、前記光ディスク上の予め定められた場所と予め定められたサイズを有しており、
前記中周スペア領域を使用するか否かを示す情報を格納することができる欠陥管理領域をすることを特徴とする多層光ディスク。
【請求項８】
請求項6記載の多層光ディスクは、前記中周スペア領域の開始アドレスと、領域のサイズを格納することができる欠陥管理領域を有することを特徴とする多層光ディスク。
【請求項９】
請求項6記載の多層光ディスクは、前記中周スペア領域の各層毎の使用禁止か否かの情報を格納することができる欠陥管理領域を有することを特徴とする多層光ディスク。
【請求項１０】
請求項6記載の多層光ディスクは、（n-1）個の前記中周スペア領域のうちm（m：自然数、m<n）個の中周スペア領域を使用する場合には、各層のユーザデータ領域は記録再生方向に沿って（m+1）個のユーザデータ領域を有することを特徴とする多層光ディスク。
【請求項１１】
複数の記録層を有する光ディスクであって、ユーザデータを記録するためのユーザデータ領域と、ユーザデータ領域の欠陥データの代替として記録再生を実施するスペア領域を有し、前記スペア領域は光ディスク上の各記録層におけるユーザデータ領域の最内周側に配置する内周スペア領域と、最外周側に配置する外周スペア領域と、ユーザデータ領域の中周位置に配置する中周スペア領域とを有する光ディスクにデータを記録再生するデータ記録再生方法であって、
中周スペア領域に近いユーザデータ領域にある欠陥データの代替として中周スペア領域にデータを記録再生することを特徴とするデータ記録再生方法。
【請求項１２】
請求項11記載の中周スペア領域は、前記光ディスク上の予め定められた場所と予め定められたサイズを有しており、
前記中周スペア領域を使用するか否かを示す情報を記録再生することを特徴とするデータ記録再生方法。
【請求項１３】
請求項11記載のデータ記録再生方法であって、前記光ディスクに、前記中周スペア領域の開始アドレスと、領域のサイズを記録再生することを特徴とするデータ記録再生方法。
【請求項１４】
請求項11記載のデータ記録再生方法であって、前記光ディスクに、前記中周スペア領域の各層毎の使用禁止か否かの情報を記録再生することを特徴とするデータ記録再生方法。
【請求項１５】
複数の記録層を有する光ディスクであって、
ユーザデータを記録するためのユーザデータ領域と、ユーザデータ領域の欠陥データの代替として記録再生を実施するスペア領域を有し、前記スペア領域は光ディスク上の各記録層におけるユーザデータ領域の最内周側に配置する内周スペア領域と、最外周側に配置する外周スペア領域と、ユーザデータ領域をn（n：自然数）分割する位置に（n-1）箇所配置する中周スペア領域とを有する光ディスクにデータを記録再生する光ディスク記録再生方法であって、
各々の中周スペア領域に近いユーザデータ領域にある欠陥データの代替として最も近い中周スペア領域にデータを記録再生することを特徴とする光ディスク記録再生方法。
【請求項１６】
請求項11あるいは請求項15記載の光ディスク記録再生方法において、
光ディスクに記録するデータの種類や用途に応じて中周スペア領域の使用を禁止することを特徴とする光ディスク記録再生方法。
【発明の詳細な説明】
【技術分野】
【０００１】
本発明は、2層以上の記録層を備えた記録媒体、例えば光ディスク、光ディスクの記録再生方法に関する。
【背景技術】
【０００２】
特許文献1の図12において、3層ディスクの領域レイアウトを開示しており、段落[0070]の記載「多層情報記録媒体は3つの記録層を備える。多層情報記録媒体は、ユーザデータを記録するためのユーザデータ領域を備える。1層目の記録層は、記録再生方向と同じ方向である内周側から外周側に向かって、リードイン領域と、先頭スペア領域と、ユーザデータ領域の一部である第1のユーザデータ領域と、中間スペア領域と、ミドル領域とを含む。2層目の記録層は、記録再生方向と同じ方向である外周側から内周側へ向かって、ミドル領域と、中間スペア領域と、ユーザデータ領域の一部である第2のユーザデータ領域と、中間スペア領域と、ミドル領域とを含む。3層目の記録層は、記録再生方向と同じ方向である内周側から外周側へ向かって、ミドル領域と、中間スペア領域と、ユーザデータ領域の一部である第3のユーザデータ領域と、最終スペア領域と、リードアウト領域とを含む。」が示されている。また、段落[0073]の記載「各記録層のいずれのスペア領域も、第1〜第3のユーザデータ領域のいずれかの端部に隣接する位置に配置される。」が示されている。
【０００３】
【特許文献１】特開2005-100657号公報
【発明の開示】
【発明が解決しようとする課題】
【０００４】
特許文献1のようにユーザデータ領域の端部にスペア領域を配置する場合、シーケンシャルな記録再生が高速に行われるというメリットはあるが、データの信頼性を優先としてスペア領域を使い交替処理が頻発するようなケースでは、例えば中周のユーザデータ記録時の交替処理として最内周あるいは最外周にあるスペアエリアにアクセスする必要があるため、結果としてアクセス性能の劣化が考えられる。また、中周と内周、外周とでは回転速度の違いや、記録再生条件の違いなどにより、ピック特性やサーボ特性、記録再生特性の調整や変更が必要になってしまう。
【０００５】
本発明の目的は、ユーザデータ記録再生位置に、より近い位置での交替処理が可能な光ディスク、光ディスク記録再生方法を提供することである。
【課題を解決するための手段】
【０００６】
上記目的は、その一例として中周のエリアにもスペア領域を配置することで達成できる。
【発明の効果】
【０００７】
本発明の光ディスク、光ディスク記録再生方法により、ユーザデータ記録再生位置に、より近い位置での交替処理が可能となる。
【発明を実施するための最良の形態】
【０００８】
以下、図面を参照して本発明の実施例について説明する。
【０００９】
図1は本発明の第1の実施例である多層光ディスクのレイアウト図である。本実施例においては、記録層が3層あり、中周の領域に1つのスペア領域を配置する場合を例に説明する。1層目の記録層（層番号0、以下Layer0）101には、記録再生方向と同じ方向にリードイン領域（Lead-in Area）104とユーザデータ領域105,106と、外周領域0（Outer Area 0）107を含む。2層目の記録層（層番号1、以下Layer1）102には、記録再生方向と同じ方向に外周領域1（Outer Area 1）108とユーザデータ領域109,110と、内周領域1（Inner Area 1）111を含む。3層目の記録層（層番号2、以下Layer2）103には、記録再生方向と同じ方向に内周領域2（Inner Area 2）112とユーザデータ領域113,114と、リードアウト領域（Lead-out Area）115を含む。また、ユーザデータ領域に欠陥がある場合の交替領域として、従来と同様に、Layer0には内周スペア領域0（Inner Spare Area 0、以下ISA0）116と外周スペア領域0（Outer Spare Area 0、以下OSA0）117、Layer1には内周スペア領域1（Inner Spare Area 1、以下ISA1）118と外周スペア領域1（Outer Spare Area 1、以下OSA1）119、Layer2には内周スペア領域2（Inner Spare Area 2、以下ISA2）120と外周スペア領域2（Outer Spare Area 2、以下OSA2）121をそれぞれ配置する。更に、それぞれの層の中間に中周スペア領域0（Middle Spare Area 0、以下MSA0）122、中周スペア領域1（Middle Spare Area 1、以下MSA1）123、中周スペア領域2（Middle Spare Area 2、以下MSA2）124を同じ半径位置に配置する。ここで、ユーザデータ領域は、中周スペア領域の配置により各層で2箇所に分断されるので、本実施例では記録再生方向から順にユーザデータ領域0（User Data Area 0）105,109,113、ユーザデータ領域1（User Data Area 1）106,110,114とする。
【００１０】
図2に、本発明の第1の実施例におけるディスク上のリードイン領域104、内周領域102,103、外周領域107,108、リードアウト領域115などに格納される欠陥管理領域のレイアウト図を示す。欠陥管理領域（Defect Management Area、以下DMA）201には、ディスク構造の情報示すディスク定義構造（Disc Definition Structure、以下DDS）202と欠陥セクタ及び交替セクタの位置を示す欠陥リスト（Defect List）203を含む。DDS 202に格納するデータとして、データ構造がDDSであることを示すDDS識別子204、DDSを更新した回数を示すDDS更新カウント205、論理アドレス（Logical Sector Number、以下LSN）が0である物理セクタ（Physical Sector Number、以下PSN）を示す先頭LSN位置206、各々のスペア領域のサイズを示す情報207〜211、スペア領域が使用可能かどうかを示すスペア領域フルフラグ212を含む。
【００１１】
図3に、本発明の第1の実施例におけるセクタ番号の割り当てを示す。論理アドレスLSN（縦軸）とディスク上の物理アドレスPSN（横軸）との関係を示し、物理アドレスは図1のレイアウト図におけるLayer0 101の内周から外周、Layer１ 102の外周から内周、Layer2 103の内周から外周へと連続的に割り当てる。PSNは、1セクタ毎に1インクリメントする数字であり、この場合32ビットで表されて上位8ビットで層番号を示し、下位24ビットで各層の物理的位置を表す。ここで、Layer0のPSN=Xと、同じ半径位置にあるLayer1のPSN=X’は2の補数関係で表されるものとする。中周のスペア領域（Middle Spare Area、以下MSA）122,123,124の使用有無によりLSN対PSNの関係は変更となるため、MSA 122,123,124使用時のケースを図3（a）、未使用時のケースを図3（b）に示す。ここで、MSA 122,123,124の配置場所として、制御のし易さを考慮して、予め定められたアドレスを割り当てる。本実施例ではユーザデータ領域の中間（Layer0 101のPSN=Aの位置）に配置し、予め定められたサイズとする。予め定められたアドレス及びサイズを用いるため、図2の中周スペア領域サイズ211としては使用有無を示すフラグ情報程度の格納としても良い。また、図4にLSNからPSNの変換方法のフローチャート図を示す。図2で示すようにDDS 202に格納された中周スペア領域サイズ211の情報より、MSA 122,123,124を使用する場合と使用しない場合で処理を切り換える（402）。MSA 122,123,124を使用しない場合は、図3（b）で示すようにLayer0 101のMSA0 122の予約位置（アドレスAの位置から指定サイズの区間）、MSA0 122の領域と半径位置とLayer1 102及びLayer2 103における半径位置がほぼ同等の領域（MSA1 123,MSA2 124）をスペアエリア領域として使用せず、ユーザデータ領域として使用する。この場合、Layer0 101のISA0 116後のPSNを先頭LSN（LSN=0）として、OSA0 117のPSNまでの区間を連続して使用する。以下、Layer1 102のOSA1 119後からISA1 118まで、Layer2 103のISA2 120後からOSA2 121までの区間を使用し、層の切り替わりにおいて変換アドレスの補正を実施することで、ユーザデータ領域への記録再生が可能となる（406）。一方、MSA 122,123,124を使用する場合は、ユーザデータの領域がUser Data Area0 105,109,113であるかUser Data Area1 106,110,114であるかにより更に処理を切り換える（403）。User Data Area0 105,109,113である場合には、MSA 122,123,124を使用しない場合と同様に、ISA0 116後からMSA0 122、OSA1 119からMSA1 123、ISA2 120からMSA2 124までの区間を連続して使用できる（404）。ただし、User Data Area1 106,110,114の場合は、MSA 122,123,124の領域サイズの分だけユーザデータとして使用できない領域が存在するため、MSA 122,123,124のサイズ量211だけ変換アドレスの補正を実施し、MSA0 122後からOSA0 117、MSA1 123後からISA1 118、MSA2 124後からOSA2 121までの区間を連続して使用する（405）。MSA 122,123,124を使用する場合には、層の切り替わりに加えて記録再生方向がMSA 122,123,124の前後であるか否かにより、変換アドレスの補正を実施することで、ユーザデータ領域への記録再生が可能となる。
【００１２】
以上のように本実施例では、光ディスク上の内周側及び外周側に加えて、中周にもスペアエリア領域を配置して制御する。これにより、欠陥セクタの交替処理を実施する際に、欠陥セクタにより近い配置の任意記録層や任意記録位置のスペア領域を選択することが出来るため、交替処理時のアクセス性能を向上することが出来る。
【００１３】
図5は本発明の第2の実施例である多層光ディスクのレイアウト図である。本実施例においては、記録層が3層あり、中周の領域に2つ以上（本実施例では、2つ）のスペア領域を配置する場合を例に説明する。1層目の記録層（層番号0、以下Layer0）101には、記録再生方向と同じ方向にリードイン領域（Lead-in Area）104とユーザデータ領域501,502,503と、外周領域0（Outer Area 0）107を含む。2層目の記録層（層番号1、以下Layer1）102には、記録再生方向と同じ方向に外周領域1（Outer Area 1）108とユーザデータ領域504,505,506と、内周領域1（Inner Area 1）111を含む。3層目の記録層（層番号2、以下Layer2）103には、記録再生方向と同じ方向に内周領域2（Inner Area 2）112とユーザデータ領域507,508,509と、リードアウト領域（Lead-out Area）115を含む。また、ユーザデータ領域に欠陥がある場合の交替領域として、従来と同様に、Layer0には内周スペア領域0（Inner Spare Area 0、以下ISA0）116と外周スペア領域0（Outer Spare Area 0、以下OSA0）117、Layer1には内周スペア領域1（Inner Spare Area 1、以下ISA1）118と外周スペア領域1（Outer Spare Area 1、以下OSA1）119、Layer2には内周スペア領域2（Inner Spare Area 2、以下ISA2）120と外周スペア領域2（Outer Spare Area 2、以下OSA2）121をそれぞれ配置する。更に、Layer0に中周0スペア領域0（Middle 0 Spare Area 0、以下M0SA0）510、中周1スペア領域0（Middle 1 Spare Area 0、以下M1SA0）513を、Layer1に中周0スペア領域1（Middle 0 Spare Area 1、以下M0SA1）511、中周1スペア領域11（Middle 1 Spare Area 1、以下M1SA1）514を、Layer2に中周0スペア領域2（Middle 0 Spare Area 2、以下M0SA2）512、中周1スペア領域2（Middle 1 Spare Area 2、以下M1SA2）515をそれぞれ同じ半径位置に配置する。ここで、ユーザデータ領域は、中周スペア領域の配置により各層で3箇所に分断されるので、本実施例では記録再生方向から順にユーザデータ領域0（User Data Area 0）501,504,507、ユーザデータ領域1（User Data Area 1）502,505,508、ユーザデータ領域2（User Data Area 2）503,506,509とする。
【００１４】
図6に、本発明の第2の実施例におけるディスク上のリードイン領域104、内周領域102,103、外周領域107,108、リードアウト領域115などに格納される欠陥管理領域のレイアウト図を示す。図2と比較して異なる点は、中周のスペア領域が2箇所点在することに応じて、DDSへ格納する情報として中周スペア領域サイズ211の換わりに中周0スペア領域サイズ601と中周1スペア領域サイズ602に変更になっている点である。図6では、スペア領域サイズとして記載しているが、予め定められた開始アドレスで予め定められたサイズとするならば、中周のスペア領域の使用有無を示すフラグであっても良く、フラグ情報であれば格納する情報量が少なくて済む。
【００１５】
図7、図8に本発明の第2の実施例におけるセクタ番号の割り当てを示す。図3の例と同様に、中周0のスペア領域（Middle 0 Spare Area、M0SA）510,511,512及び中周1のスペア領域（Middle 1 Spare Area、M1SA）513,514,515の使用有無によりLSN対PSNの関係を変更する。M0SA0 510はLayer0 101のPSN=Aの位置、M0SA1 513はLayer0 101のPSN=Bの位置とし、Layer1 102及びLayer2 103の中周スペア領域511,512,514,515は、Layer0 101の中周0スペア領域510と中周1スペア領域513と半径位置がほぼ同等の領域に配置されるものとする。M0SA 510,511,512及びM1SA 513,514,515の両方を使用時のケースを図7（a）、M0SA 510,511,512及びM1SA 513,514,515の両方を未使用時のケースを図7（b）に示す。図7（b）で示すようなケースの場合は、図3で説明したように内周側のスペア領域116,118,120と外周側のスペア領域117,119,121との間の区間を全てユーザデータ領域として使用し、層の切り替わりにおいてのみ変換アドレスの補正を実施することで、ユーザデータ領域への記録再生が可能となる。一方、図7（a）で示すようなケースの場合は、ユーザデータ領域がUser Data Area0 501,504,507、User Data Area1 502,505,508、User Data Area2 503,506,509のいずれであるかにより処理を切り換える。それぞれの領域において、M0SA 510,511,512及びM1SA 513,514,515のサイズ量601,602だけ必要に応じて変換アドレスの補正を実施することで、ユーザデータ領域への記録再生が可能となる。更に、中周の領域にスペア領域が複数個ある場合は、図8のように、各スペア領域の使用有無により、ディスクのレイアウトを汎用的に変更することが可能となる。図8（a）は中周のスペア領域の中でもより内周側にある中周0スペア領域（M0SA）510,511,512のみを使用する場合、図8（b）はより外周側にある中周1スペア領域（M1SA）513,514,515のみを使用する場合を示す。それぞれの場合で、ユーザデータ領域は中周スペア領域を挟んで2箇所存在し、どちらのユーザデータ領域にあるかどうかにより処理を切り換える。それぞれの領域において、M0SA 510,511,512あるいはM1SA 513,514,515のサイズ量601,602だけ必要に応じて変換アドレスの補正を実施することで、ユーザデータ領域への記録再生が可能となる。
【００１６】
以上のように本実施例では、光ディスク上の内周側及び外周側に加えて、中周にもスペアエリア領域を配置して制御する。これにより、欠陥セクタの交替処理を実施する際に、欠陥セクタにより近い配置の任意記録層や任意記録位置のスペア領域を選択することが出来るため、交替処理時のアクセス性能を向上することが出来る。内周に複数個のスペア領域を確保して、選択的に使用することで、データの種類や目的に応じてディスクのレイアウトの自由度を上げることが出来る。
【００１７】
図9は本発明の第3の実施例であるLSNからPSNの変換方法のフローチャート図である。本実施例では、図1で示した多層光ディスクのレイアウト図に用いることを例に説明しており、図4との差異はAV用途か否かにより処理を切り換える（901）点である。光ディスクへ記録再生のデータ種類として、パソコン用のデータの他に、レコーダやカメラなどのAVデータが考えられる。AVデータの場合は、放送などの映像コンテンツ記録再生にはリアルタイム性が求められることから、できるだけ連続的に記録再生できたほうが望ましい。そのため、AV用途で光ディスクを用いる場合のMSAの使用を禁止し、例えばパソコン用途のみに限定する。パソコン用途の場合は、データのバックアップ用途などに用いたりするためデータの信頼性を最優先し、MSAを使用することで交替処理時のアクセス性能を向上し、処理時間の低減を図ることができる。
【００１８】
以上のように本実施例では、光ディスク上の内周側及び外周側に加えて、データの種類に応じ限定的に内周にもスペア領域を配置して制御する。これにより、欠陥セクタの交替処理を実施する際に、欠陥セクタにより近い配置の任意記録層や任意記録位置のスペア領域を選択することが出来るため、交替処理時のアクセス性能を向上することが出来る。
【００１９】
図10は本発明の第4の実施例である欠陥管理領域のレイアウト図である。図1で示した多層光ディスクのレイアウト図に用いることを例に説明しており、図2との差異は中周スペア領域開始位置1001を格納するところである。第1の実施例で示した例の場合、中周スペア領域の位置は、処理のし易さから予め定められたアドレスとして説明したが、任意の位置としても同様に構成が出来る。記録再生手順としては、フォーマット時に各スペア領域のサイズに加えて、中周スペア領域を使用する場合のレイアウトに応じて中周スペア領域の開始位置も記録する。その後の記録再生時には、欠陥管理領域より各スペア領域のサイズ207〜210及び中周スペア領域の開始位置1001を読み出して、本アドレスとサイズを用いてLSNからPSNのアドレス変換や補正を実施してユーザデータ領域へのアクセスを行う。本実施例においては、中周に1つにスペア領域を配置するレイアウト図を用いて説明したが、中周に2つ以上のスペア領域を配置する場合も、各スペア領域の開始位置を各々記録することで同様に制御は可能である。
【００２０】
以上のように本実施例では、光ディスク上の内周側及び外周側に加えて、内周の任意の位置にスペア領域を配置して制御する。これにより、欠陥セクタの交替処理を実施する際に、欠陥セクタにより近い配置の任意記録層や任意記録位置のスペア領域を選択することが出来るため、交替処理時のアクセス性能を向上することが出来、ディスクレイアウトの自由度を上げることが出来る。
【００２１】
図11は本発明の第5の実施例である欠陥管理領域のレイアウト図である。図5で示した多層光ディスクのレイアウト図に用いることを例に説明しており、図6との差異は中周スペア領域各層使用フラグ1101を格納するところである。各スペア領域が使用可能かどうかを確認するには、スペア領域フルフラグ212により得られる。例えば、特定層のみスペア領域を増やす場合、特定層以外の層のスペア領域フルフラグ212を強制的にフル情報を書き込むとして実現は可能である。この場合は、特定層のみスペア領域として使用し、特定層以外の領域をユーザデータ領域に開放することも可能だが、同じ半径位置にスペア領域とユーザデータ領域が重なることでのデータの信頼性低下を考慮し、特定層以外の中周スペア領域（強制的にフル情報を書き込まれたスペア領域）を未使用の領域とすることにする。しかし、内周のスペア領域の数が増えれば増えるほど、内周のスペア領域が使用可能かどうかを読み取るには多くの情報の読取を必要とし、処理が複雑になってしまう。そこで、中周のスペア領域の各層毎に使用するか否かを示す中周スペア領域各層使用フラグ1101を用意することで、1ビットの情報により一括して使用不可情報を示すことが出来、処理の簡略化を図ることができる。
【００２２】
以上のように本実施例では、光ディスク上の内周側及び外周側に加えて、中周にもスペア領域を配置して制御する。これにより、欠陥セクタの交替処理を実施する際に、欠陥セクタにより近い配置の任意記録層や任意記録位置のスペア領域を選択することが出来るため、交替処理時のアクセス性能を向上することが出来る。また、中周のスペア領域の各層毎に使用するか否かの情報により、特定層のみの中周スペア領域の使用のみを限定し、特定層のみ実質的にスペア領域の容量を増やすことが可能となる。
【００２３】
第1から第5の実施例において、記録層が3層ある光ディスクにおいて説明したが、3層以上の記録層を持つ光ディスクにおいても同様に構成できる。
【図面の簡単な説明】
【００２４】
【図１】本発明の第1の実施例である多層光ディスクのレイアウト図である。
【図２】本発明の第1の実施例である欠陥管理領域のレイアウト図である。
【図３】本発明の第1の実施例であるセクタ番号の割り当てを示すブロック図である。
【図４】本発明の第1の実施例であるLSNからPSNの変換方法のフローチャート図である。
【図５】本発明の第2の実施例である多層光ディスクのレイアウト図である。
【図６】本発明の第2の実施例である欠陥管理領域のレイアウト図である。
【図７】本発明の第2の実施例であるセクタ番号の割り当てを示すブロック図（その１）である。
【図８】本発明の第2の実施例であるセクタ番号の割り当てを示すブロック図（その2）である。
【図９】本発明の第3の実施例であるLSNからPSNの変換方法のフローチャート図である。
【図１０】本発明の第4の実施例である欠陥管理領域のレイアウト図である。
【図１１】本発明の第5の実施例である欠陥管理領域のレイアウト図である。
【符号の説明】
【００２５】
101…1層目の記録層、102…2層目の記録層、103…3層目の記録層、104…リードイン領域、105,106…ユーザデータ領域、107…外周領域0、108…外周領域1、109,110…ユーザデータ領域、111…内周領域1、112…内周領域2、113,114…ユーザデータ領域、115…リーダアウト領域、116…内周スペア領域0（ISA0）、117…外周スペア領域0（OSA0）、118…内周スペア領域1（ISA1）、119…外周スペア領域1（OSA1）、120…内周スペア領域2（ISA2）、121…外周スペア領域2（OSA2）、122…中周スペア領域0（MSA0）、123…中周スペア領域1（MSA1）、124…中周スペア領域2（MSA2）、201…欠陥管理領域（DMA）、202…ディスク定義構造（DDS）、203…欠陥リスト、204…DDS識別子、205…DDS更新カウント、206…先頭LSN位置、207…先頭スペア領域サイズ、208…外周側中間スペア領域サイズ、209…内周側中間スペア領域サイズ、210…最終スペア領域サイズ、211…中周スペア領域サイズ、212…スペア領域フルフラグ、501,502,503…ユーザデータ領域、504,505,506…ユーザデータ領域、507,508,509…ユーザデータ領域、510…中周スペア領域00（MSA00）、511…中周スペア領域01（MSA01）、512…中周スペア領域02（MSA02）、513…中周スペア領域10（MSA10）、514…中周スペア領域11（MSA11）、515…中周スペア領域12（MSA12）、601…中周スペア領域0サイズ、602…中周スペア領域1サイズ、1001…中周スペア領域開始位置、1101…中周スペア領域各層使用フラグ
【図１】
2010182378.tif 000003
【図２】
2010182378.tif 000004
【図３】
2010182378.tif 000005
【図４】
2010182378.tif 000006
【図５】
2010182378.tif 000007
【図６】
2010182378.tif 000008
【図７】
2010182378.tif 000009
【図８】
2010182378.tif 000010
【図９】
2010182378.tif 000011
【図１０】
2010182378.tif 000012
【図１１】
2010182378.tif 000013